(57)【要約】【課題】  ボール位置と打球方向に合わせた適正なスタンスについての確認や、ゴルファーのスイング中やパッティング中における膝の左右方向又は前後方向への移動についての確認といった複数の確認事項についても対応することができる汎用性の高いスティック型ゴルフ練習機を提供すること。【解決手段】  本発明は、設置面Ｇ上に延びる第１の水平方向スティックＳ１，Ｓ２と、設置面Ｇと垂直方向に延びる垂直方向スティックＳ３と、前記第１の水平方向スティックＳ１，Ｓ２と前記垂直方向スティックＳ３が互いに交差しない位置にて両スティックＳ１，Ｓ２，Ｓ３を着脱可能に保持できる支持部材１０と、前記垂直方向スティックＳ３の任意の高さ位置に着脱可能に装着できる第２の水平方向スティックＳ４，Ｓ５とを備えていることを特徴とするスティック型ゴルフ練習機１である。【選択図】図１
2017029627.tif 000002
【特許請求の範囲】
【請求項１】
設置面上に延びる第１の水平方向スティックと、
設置面と垂直方向に延びる垂直方向スティックと、
前記第１の水平方向スティックと前記垂直方向スティックが互いに交差しない位置にて両スティックを着脱可能に保持できる支持部材と、
前記垂直方向スティックの任意の高さ位置に着脱可能に装着できる第２の水平方向スティックと
を備えていることを特徴とするスティック型ゴルフ練習機。
【請求項２】
前記第２の水平方向スティックは、２本の短スティックから構成されており、それらの短スティック同士は、弾性材料からなる連結具にて着脱可能に連結できるものであり、かつ、前記連結具は、前記垂直方向スティックの任意の位置に前記第２の水平方向スティックを着脱可能に装着できるものであることを特徴とする請求項１に記載のスティック型ゴルフ練習機。
【請求項３】
前記連結具は、前記短スティック又は前記垂直方向スティックを連結又は装着するためのスティック挿入穴又はスティック挿通孔を有し、当該スティック挿入穴又はスティック挿通孔の内面に、前記短スティック又は前記垂直方向スティックの外面と長手方向に沿って接する複数本のリブを備えていることを特徴とする請求項２に記載のスティック型ゴルフ練習機。
【請求項４】
前記支持部材は、前記第１の水平方向スティックからの距離を選択的に変更して前記垂直方向スティックを着脱可能に保持できるものであることを特徴とする請求項１に記載のスティック型ゴルフ練習機。
【請求項５】
前記支持部材は、前記垂直方向スティックの一端部を嵌め込むことで当該垂直方向スティックを保持できる複数の固定穴を備えたものであることを特徴とする請求項４に記載のスティック型ゴルフ練習機。
【請求項６】
前記支持部材は、板状の部材から構成されており、その一端部に前記第１の水平方向スティックを嵌め込んで固定できるものであることを特徴とする請求項４に記載のスティック型ゴルフ練習機。
【請求項７】
前記連結具は、
同一直線上にて逆方向に開口するスティック挿入穴と、
当該スティック挿入穴と直交する方向に透設されたスティック挿通孔と
を備えていることを特徴とする請求項２に記載のスティック型ゴルフ練習機。
【請求項８】
前記水平方向スティック又は垂直方向スティックは、繊維強化樹脂製の中実体から構成されていることを特徴とする請求項１〜６の何れか一項に記載のスティック型ゴルフ練習機。
【請求項９】
前記水平方向スティック又は垂直方向スティックは、長さ表示を備えていることを特徴とする請求項１に記載のスティック型ゴルフ練習機。
【請求項１０】
前記水平方向スティック又は前記垂直方向スティックの一端部又は両端部が先端先細りとなるように形成されていることを特徴とする請求項１に記載のスティック型ゴルフ練習機。
【請求項１１】
前記支持部材の一端部に前記第１の水平方向スティックを保持させ、かつ、
前記支持部材に前記垂直方向スティックを保持させ、
前記垂直方向スティックの任意の高さ位置に第２の水平方向スティックを装着した前記スティック型ゴルフ練習機は、
前記第２の水平方向スティックを押すことで、前記第１の水平方向スティック付近を回動中心として前記支持部材の他端部側が持ち上がるように回動可能であることを特徴とする請求項１〜１０の何れか一項に記載のスティック型ゴルフ練習機。
【発明の詳細な説明】
【技術分野】
【０００１】
本発明は、スティック型ゴルフ練習機に関するものである。
【背景技術】
【０００２】
従来、ゴルフクラブを正しくスイング（ストロークを含む。以下同様。）する練習をするためのスティック型ゴルフ練習機として、ボール位置、打球方向及び適正なスタンス（足の位置）を把握するために、棒状の指示体を交差させて複数本組み付けるようにしたものが提案されている（特許文献１〜４）。
【０００３】
これら従来のスティック型ゴルフ練習機は、専ら地面の上に置いて使用するものであって、その用途は、ボール位置と打球方向に合わせて適正なスタンスを取ってスイングをする練習用に限られている。
【０００４】
一方、特許文献５及び６に記載されているゴルフ練習器具は、水平方向に延びる棒状の部材を膝の高さにて支持することで、スイング時のスエー（体の軸のズレによる膝の左右方向の移動など）を矯正したり、正しい体重移動を習得する練習のために用いることができるものである。
【０００５】
特許文献７に記載されている「ゴルフスイング検査器具」は、膝の高さに合わせた「当たり」によってゴルファーの膝がスイング中に移動した量を測定できるものである。
【先行技術文献】
【特許文献】
【０００６】
【特許文献１】特許第５０９７８６６号公報
【特許文献２】特公昭４８−４２５７７号公報
【特許文献３】意匠登録第１４５４７４２号公報
【特許文献４】意匠登録第１０６２４９５号公報
【特許文献５】特開平１０−２１６２８９号公報
【特許文献６】実開平２−１４７１７２号公報
【特許文献７】特開２０００−２７１２５８号公報
【発明の概要】
【発明が解決しようとする課題】
【０００７】
上記特許文献１〜４に記載されているスティック型ゴルフ練習機においては、ゴルファーのスイング中における膝の移動について確認したり矯正したりできるものではなく、単に「ボール位置と打球方向に合わせた適正なスタンス」を習得するためのものであり、それらを用いることによるゴルフ練習の方法及び効果は限られてしまうという課題がある。
【０００８】
一方、上記特許文献５〜７に記載されているゴルフ練習器具又はゴルフスイング検査器具においては、ゴルファーのスイング中における膝の移動について確認したり矯正したりすることはできるが、「ボール位置と打球方向に合わせた適正なスタンス」について確認することができないという課題がある。
【０００９】
即ち、従来のゴルフ練習機などにおいては、対応できる練習方法が限られているという課題と、ボール位置と打球方向に合わせた適正なスタンスを確認し、さらにゴルファーのスイング中における膝の移動について確認することができないという課題がある。
【００１０】
そこで、本発明の目的は、従来のゴルフ練習機などにおける上記の課題を全て解決し、ボール位置と打球方向に合わせた適正なスタンスを確認でき、さらにはゴルファーのスイング中における膝の移動についても分かり易く確認することができるスティック型ゴルフ練習機を提供することにある。
【００１１】
本発明の他の目的は、ボール位置と打球方向に合わせた適正なスタンスについての確認や、ゴルファーのスイング中やパッティング中における膝の左右方向への移動についての確認や、パッティング中における膝の前後方向への移動についての確認といった複数の確認事項についてもそれぞれ対応した練習に用いることができる汎用性の高いスティック型ゴルフ練習機を提供することにある。
【００１２】
本発明の他の目的は、個々のゴルファーの体格やスイングスタイルに応じてスティックの位置や組み付け方を変更することで、様々なゴルファーによる種々のゴルフスイング練習に幅広く対応できるスティック型ゴルフ練習機を提供することにある。
本発明の他の目的は、スティックを取り外すことで、コンパクトに収納したり、簡単に持ち運ぶこともできるスティック型ゴルフ練習機を提供することにある。
本発明の他の目的は、各スティックを適度な強さにて安定的に保持でき、かつ、スティックの高さや方向を容易に変更できるスティック型ゴルフ練習機を提供することにある。
【００１３】
本発明の他の目的は、歪みや変形が生じにくく、強度と耐久性に優れるとともに、適度な重さを有し、ゴルファーが膝の動きをはっきり認識することができるスティック型ゴルフ練習機を提供することにある。
本発明の他の目的は、スタンスの幅を容易に正しく確認できるスティック型ゴルフ練習機を提供することにある。
さらに、本発明の他の目的は、地面に直接刺してアプローチ練習の際の目標（ターゲット又は距離表示）として使用することもできるスティック型ゴルフ練習機を提供することにある。
【課題を解決するための手段】
【００１４】
本発明は、「設置面上に延びる第１の水平方向スティックと、設置面と垂直方向に延びる垂直方向スティックと、前記第１の水平方向スティックと前記垂直方向スティックが互いに交差しない位置にて両スティックを着脱可能に保持できる支持部材と、前記垂直方向スティックの任意の高さ位置に着脱可能に装着できる第２の水平方向スティックとを備えていることを特徴とするスティック型ゴルフ練習機。」を最も主要な特徴とするものである。
【００１５】
本発明のスティック型ゴルフ練習機において、前記第２の水平方向スティックは、２本の短スティックから構成されており、それらの短スティック同士は、弾性材料からなる連結具にて着脱可能に連結できるものであり、かつ、前記連結具は、前記垂直方向スティックの任意の位置に前記第２の水平方向スティックを着脱可能に装着できるものであってもよい。
本発明のスティック型ゴルフ練習機において、前記連結具は、前記短スティック又は前記垂直方向スティックを連結又は装着するためのスティック挿入穴又はスティック挿通孔を有し、当該スティック挿入穴又はスティック挿通孔の内面に、前記短スティック又は前記垂直方向スティックの外面と長手方向に沿って接する複数本のリブを備えているものであってもよい。
【００１６】
本発明のスティック型ゴルフ練習機において、前記支持部材は、前記第１の水平方向スティックからの距離を選択的に変更して前記垂直方向スティックを着脱可能に保持できるものであるとよい。
本発明のスティック型ゴルフ練習機において、前記支持部材は、前記垂直方向スティックの一端部を嵌め込むことで当該垂直方向スティックを保持できる複数の固定穴を備えたものであってもよい。
【００１７】
本発明のスティック型ゴルフ練習機において、前記支持部材は、板状の部材から構成されており、その一端部に前記第１の水平方向スティックを嵌め込んで固定できるものであってもよい。
本発明のスティック型ゴルフ練習機において、前記連結具は、同一直線上にて逆方向に開口するスティック挿入穴と、当該スティック挿入穴と直交する方向に透設されたスティック挿通孔とを備えているものであるとよい。
【００１８】
本発明のスティック型ゴルフ練習機において、前記水平方向スティック又は垂直方向スティックは、繊維強化樹脂製の中実体から構成されているものであってもよい。
本発明のスティック型ゴルフ練習機において、前記水平方向スティック又は垂直方向スティックは、長さ表示を備えているものであってもよい。
本発明のスティック型ゴルフ練習機において、前記水平方向スティック又は垂直方向スティックの一端部又は両端部が先端先細りとなるように形成されているものであってもよい。
【００１９】
本発明のスティック型ゴルフ練習機において、前記支持部材の一端部に前記第１の水平方向スティックを保持させ、かつ、前記支持部材に前記垂直方向スティックを保持させ、前記垂直方向スティックの任意の高さ位置に第２の水平方向スティックを装着した前記スティック型ゴルフ練習機は、前記第２の水平方向スティックを押すことで、前記第１の水平方向スティック付近を回動中心として前記支持部材の他端部側が持ち上がるように回動可能であってもよい。
【発明の効果】
【００２０】
上記のように構成した本発明のスティック型ゴルフ練習機においては、前記支持部材によって、前記第１の水平方向スティックと前記垂直方向スティックを互いに交差しない位置にて保持できるため、例えば、つま先位置に第１の水平方向スティックを配置し、つま先位置より内側にある膝の位置に第２の水平方向スティックを配置して膝の動きを確認する練習を行うことができる。
即ち、１）着脱可能な複数本のスティックを用いた正しいスタンス及びボール位置の確認と、２）支持部材にて立設状態に保持されるスティックを用いたスイング中又はパッティング中における膝の動きを確認する練習の何れをも行うことができる。
また、本発明のスティック型ゴルフ練習機においては、個々のゴルファーの体格やスイングスタイルに応じてスティックの高さ位置や組み付け方を変更することで、様々なゴルファーによる種々のゴルフスイング練習に幅広く対応することができる。
さらに、前記支持部材から前記第１の水平方向スティックと前記垂直方向スティックを取り外し、当該垂直方向スティックから前記第２の水平方向スティックを取り外すことで本発明のスティック型ゴルフ練習機を分解してコンパクトに収納したり、簡単に持ち運ぶこともできる。
【００２１】
本発明のスティック型ゴルフ練習機において、前記第２の水平方向スティックが２本の短スティックから構成され、弾性材料からなる連結具にて着脱可能に連結されている場合には、スティック型ゴルフ練習機をより一層細かく分解してコンパクトにすることができる。さらに、当該連結具によって前記垂直方向スティックの任意の位置に前記第２の水平方向スティックを着脱可能に装着できるようにすることで、それらのスティック同士の連結及び位置調節を簡単かつ迅速に行うことができる。
【００２２】
本発明のスティック型ゴルフ練習機において、前記連結具が、スティック挿入穴又はスティック挿通孔を有し、それらの内面に、前記短スティック又は前記垂直方向スティックの外面と長手方向に沿って接する複数本のリブを備えているものとすることで、前記連結具と前記短スティック又は前記垂直方向スティックとの適度な強さによる連結状態を安定的に得ることができる。
【００２３】
また、本発明のスティック型ゴルフ練習機において、前記支持部材が、前記第１の水平方向スティックからの距離を選択的に変更して前記垂直方向スティックを着脱可能に保持できるものとすることで、前記垂直方向スティックの立設位置を適宜変更して異なるゴルファーの体格、スイングフォーム、練習方法などに幅広く対応することができる。
本発明のスティック型ゴルフ練習機において、前記支持部材が、前記垂直方向スティックの一端部を嵌め込むことができる複数の固定穴を備えたものとすることで、前記垂直方向スティックを立設する位置を簡単に変更することができる。
【００２４】
また、本発明のスティック型ゴルフ練習機において、前記支持部材が、板状の部材から構成されており、その一端部に前記第１の水平方向スティックを嵌め込んで固定できるものとすることで、前記支持部材と前記第１の水平方向スティックとを簡単かつ迅速に一体化させてスティック型ゴルフ練習機を組み立てることができる。
さらに、本発明のスティック型ゴルフ練習機において、前記連結具が、同一直線上にて逆方向に開口するスティック挿入穴と、当該スティック挿入穴と直交する方向に透設されたスティック挿通孔とを備えているものとすることで、前記水平方向スティックと前記垂直方向スティックとを互いに直交する状態となるように簡単かつ迅速に一体化させてスティック型ゴルフ練習機を組み立てることができる。
【００２５】
本発明のスティック型ゴルフ練習機において、前記水平方向スティック又は垂直方向スティックが、繊維強化樹脂製の中実体から構成されているものとすることで、それらのスティックの歪みや変形の発生を抑えることができ、かつ、強度と耐久性に優れ、重量感を備えたスティックとすることができる。
そのため、スティックに触れた際にしっかりとした抵抗や感触を得ることができ、ゴルフクラブを振る際の膝や脚部の不正な動きを正確に把握することが可能となる。
また、中実体のスティックにおいては、比較的安価に入手でき、さらには、内部の空洞に土が入り込むことがなく、そのような異物の侵入を防ぐ加工を行う手間を省くこともできる。
また、本発明のスティック型ゴルフ練習機において、前記水平方向スティック又は垂直方向スティックが、長さ表示を備えているものとすることで、スタンス幅やボール位置の確認を簡単に行うことができる。
【００２６】
本発明のスティック型ゴルフ練習機において、前記水平方向スティック又は前記垂直方向スティックの一端部又は両端部が先端先細りとなるように形成されているものとすることで、それらのスティックを簡単に地面に刺すことができ、距離表示などとして用いることができる。
本発明のスティック型ゴルフ練習機において、前記支持部材の一端部に前記第１の水平方向スティックを保持させ、かつ、前記支持部材に前記垂直方向スティックを保持させ、前記垂直方向スティックの任意の高さ位置に第２の水平方向スティックを装着した前記スティック型ゴルフ練習機が、前記第２の水平方向スティックを押すことで、前記第１の水平方向スティック付近を回動中心として前記支持部材の他端部側が持ち上がるように回動可能とすることで、前記第２の水平方向スティックに膝などが触れると、前記支持部材を回動させる抵抗又は重さを感じることができ、ゴルフクラブを振る際の膝や脚部の不正な動きを簡単かつ正確に把握することが可能となる。
【図面の簡単な説明】
【００２７】
【図１】図１は本発明を具体化したスティック型ゴルフ練習機を示す斜視図及び側面図である。
【図２】図２は本発明のスティック型ゴルフ練習機を分解した状態を示す平面図及びスティック型ゴルフ練習機の平面図及び正面図である。
【図３】図３は本発明のゴルファーの脚部とスティック型ゴルフ練習機の寸法を示す正面図である。
【図４】図４は本発明のスティックの先端部を示す正面図及び先端部の寸法と土への刺さり具合の関係を示す図である。
【図５】図５は本発明の連結具を示す正面図、平面図、側面図及び断面図である。
【図６】図６は本発明の連結具を示す斜視図、断面図、側面図である。
【図７】図７は本発明の支持部材の長手方向中央断面図、底面図、斜視図、部分拡大斜視図である。
【図８】図８は本発明の支持部材に水平方向スティックを連結する実施形態を示す図である。
【図９】図９は本発明の支持部材の固定穴の形状とスティックの太さの関係を示す部分断面図である。
【図１０】図１０は本発明のスティック型ゴルフ練習機を使用する状態を示す斜視図である。
【図１１】図１１は本発明のスティック型ゴルフ練習機を使用する状態を示す斜視図である。
【図１２】図１２は本発明のスティック型ゴルフ練習機を使用する状態を示す斜視図である。
【図１３】図１３は本発明のスティック型ゴルフ練習機を使用する状態を示す斜視図である。
【発明を実施するための形態】
【００２８】
本発明は、「設置面上に延びる第１の水平方向スティックと、設置面と垂直方向に延びる垂直方向スティックと、前記第１の水平方向スティックと前記垂直方向スティックが互いに交差しない位置にて両スティックを着脱可能に保持できる支持部材と、前記垂直方向スティックの任意の高さ位置に着脱可能に装着できる第２の水平方向スティックとを備えていることを特徴とするスティック型ゴルフ練習機」であって、以下において説明する実施形態などにより好適に具体化することができる。
【００２９】
以下、本発明のスティック型ゴルフ練習機を具体化した一実施形態について説明する。
【００３０】
図１及び図２に示すように、本発明の一実施形態のスティック型ゴルフ練習機１は、それを構成する部品として、２本の長スティックＳ１，Ｓ２と、１本の垂直方向スティックＳ３と、２本の短スティックＳ４，Ｓ５と、１個の略直方体形状（板状）の支持部材１０と、２個の略円筒状の連結具２０を有している。
【００３１】
前記各スティックＳ１〜Ｓ５は、一例として直径８ｍｍの全て同じ太さであって、中実体（中空ではない）の繊維強化樹脂（ＦＲＰ）からなる丸棒から構成されており、強度及び耐久性に優れるとともに、成形後の歪みや変形も生じにくく、直線状の形態を長期間維持できるものである。
なお、樹脂に着色料を混ぜて成形したＦＲＰを使用することで、塗装の剥げや退色の無いスティックＳ１〜Ｓ５とすることができる。
また、中実体の各スティックＳ１〜Ｓ５は、その重さにより、芝に置いても芝の跳ね返りで動いたりしない安定性を得ることができる。
【００３２】
前記長スティックＳ１と長スティックＳ２は、その一端部を、前記連結具２０の長手方向両端部に形成され逆方向に開口する有底円筒状のスティック挿入穴２１に差し込むことで一体化し、第１の水平方向スティック（スタンス棒）を構成できるようになっている。
これらの長スティックＳ１，Ｓ２には、長さ表示（目盛Ｍ）が付されており、スタンスの幅やゴルフボールを置く位置などを確認することができるようになっている。
ここで、前記連結具２０によって前記長スティックＳ１，Ｓ２が保持されていることにより、長スティックＳ１，Ｓ２が転がりにくく、前記目盛Ｍを視認し易くなっている。
【００３３】
同様に、前記短スティックＳ４と短スティックＳ５は、その一端部を、他の前記連結具２０の長手方向両端部に形成された有底円筒状のスティック挿入穴２１に差し込むことで一体化し、第２の水平方向スティック（チェック棒）を構成できるようになっている。
上記のように前記連結具２０を用いて第１の水平方向スティックＳ１，Ｓ２及び第２の水平方向スティックＳ４，Ｓ５を設ける実施形態とすることで、持ち運ぶ際や、使用しないときの収納・保管の際に、スティック型ゴルフ練習機１を分解してコンパクトな形態とすることができ、ゴルフバッグの背袋に入れることもできて便利である。
【００３４】
前記各スティックＳ１〜Ｓ５の長さは、図３に示すように、ゴルファーの身長などに応じて異なる膝の位置（図中において円で示す位置）と、スタンスの幅を考慮し、適宜決定することができる。
一例として、第１の水平方向スティック（スティックＳ１＋Ｓ２）の長さを８０ｃｍ、垂直方向スティック（縦棒）Ｓ３の長さを６０ｃｍ、第２の水平方向スティック（スティックＳ４＋Ｓ５）の長さを５３ｃｍとすることができるが、これらの長さは、例えば、それぞれ３〜１０ｃｍ程度長くしたり短くして実施することもできる。
【００３５】
また、前記各スティックＳ１，Ｓ２，Ｓ４，Ｓ５の一端部は、先端先細りとなるように形成されており、地面に差し込んでそれらのスティックＳ１，Ｓ４などを立て易くなっている。
これにより、スティックＳ１などをアプローチ練習の際の目標（ターゲット又は距離表示）として使用する練習を行うことができる。
【００３６】
一例として８ｍｍの直径を有する前記各スティックＳ１，Ｓ２，Ｓ４，Ｓ５の一端部における先端先細りの形状は、図４に示すように、先端先細り部分の角度が１２度、先端直径が３．５〜３．７ｍｍ、長さ１０〜１０．５ｍｍ程度の場合に、適度な力で土の地面に刺すことができ、好ましい。
【００３７】
前記２本の長スティックＳ１，Ｓ２同士及び前記２本の短スティックＳ４，Ｓ５同士を連結できる前記連結具２０は、熱可塑性ポリウレタン（ＴＰＵ）のような弾性材料であって適度な摩擦力を発揮できる材料から筒状に構成されており、長手方向中央部において、当該連結具２０の軸心方向と直交する方向に、横断面が円形状のスティック挿通孔２２が透設されている。
即ち、前記連結具２０は、同一直線上にて逆方向に開口する前記スティック挿入穴２１と、当該スティック挿入穴２１と直交する方向に貫通して透設されたスティック挿通孔２２とを備えている。
【００３８】
従って、当該スティック挿通孔２２に前記垂直方向スティックＳ３を差し込むことで、前記連結具２０は、前記垂直方向スティックＳ３の任意の位置に、十字状に交差するようにして、太さの等しい前記第１の水平方向スティックＳ１，Ｓ２又は前記第２の水平方向スティックＳ４，Ｓ５の何れをも着脱可能に装着することができる。
【００３９】
また、前記スティック挿入穴２１の内面と、前記スティック挿通孔２２の内面には、図５及び図６に示すように、高さ約０．５ｍｍ程度の８本の細長い直線状のリブ２３が軸心方向に向かって等間隔で突出形成されている。
従って、前記スティック挿入穴２１と、前記スティック挿通孔２２に差し込まれる各スティックＳ１〜Ｓ５は、それらの外面と長手方向に沿って接する複数本の前記リブ２３によって、ガタツキが小さい状態にてしかも適度な強さで前記連結具２０と一体化し、その状態を保持できるようになっている。
【００４０】
さらに、前記スティック挿入穴２１の内面と、前記スティック挿通孔２２の内面には、開口部付近ほど内径が大きくなるようにテーパーが形成されている。従って、前記スティック挿入穴２１と前記スティック挿通孔２２に各スティックＳ１〜Ｓ５を入れ易く、かつ、各スティックＳ１〜Ｓ５を入れることで両者の結合力を高めることができる。
また、これらの構成により、前記連結具２０と各スティックＳ１〜Ｓ５との間には、適度な締付力と摩擦力が安定的に生じ、ある程度の力を加えることで、前記スティック挿通孔２２に差し込まれるスティックＳ３の位置を変更でき、その位置を保持させることもできる。
【００４１】
前記支持部材１０は、一例としてＡＢＳ樹脂のような硬質の合成樹脂から一体成形されており、長手方向の一端部、即ち、短辺側において下方に向けて開口するＵ溝部１１を有している。このＵ溝部１１は、前記支持部材１０の短辺と平行な方向に延びるように形成されており、かつ、その下面中央部に円筒状の突起１２が下向きに突出形成されている。
なお、前記支持部材１０は、一例として長辺が約２０ｃｍ、短辺が約４ｃｍ、厚さ約２ｃｍ程度のものとして実施できる。
前記突起１２は、各スティックＳ１〜Ｓ５とほぼ同じ直径を有しており、前記連結具２０の前記スティック挿通孔２２に差し込むことができるようになっている。
【００４２】
前記Ｕ溝部１１の長手方向の両端部には、長スティックＳ１，Ｓ２の横ブレを防止するために、溝の内側に向けて延びる略Ｕ字状のカバー部１３が形成されている。さらに、これらのカバー部１３の内側の前記Ｕ溝部１１の長さは前記連結具２０の長さとほぼ同じであり、前記Ｕ溝部１１の溝幅は前記連結具２０の外径とほぼ同じである。
従って、前記Ｕ溝部１１内に前記連結具２０を安定的に着脱可能に嵌め込み、前記第１の水平方向スティックＳ１，Ｓ２と前記支持部材１０とを簡単・確実かつ迅速に一体化できるようになっている。
このように前記支持部材１０のＵ溝部１１に連結具２０を嵌め込むことで、前記第１の水平方向スティックＳ１，Ｓ２を、前記支持部材１０の長手方向と直交する方向にて、設置面Ｇ上に延びるように配置することができる。
【００４３】
なお、前記支持部材１０の長手方向の一端部に前記第１の水平方向スティックＳ１，Ｓ２を嵌め込んで固定する実施形態としては、前記のように連結具２０にて２本の長スティックＳ１，Ｓ２を一体化した第１の水平方向スティックを前記Ｕ溝部１１に嵌め込むという実施形態の他、図８（Ｂ）に示すように、前記支持部材１０の長手方向の一端部において短辺方向に向いたスティック挿入穴１４を形成し、そこに前記長スティックＳ１，Ｓ２を直接嵌め込む実施形態を採用してもよい。
【００４４】
前記支持部材１０は、その上面に長手方向に沿って等間隔にて凹設された計８個の有底円筒状の固定穴１５を有している。そして、これらの固定穴１５には、前記垂直方向スティックＳ３の一端部を嵌め込んで着脱可能に保持することができる。
従って、前記支持部材１０は、前記第１の水平方向スティックＳ１，Ｓ２からの距離を選択的に変更して前記垂直方向スティックＳ３を着脱可能に直立させて保持できる。
このように前記支持部材１０の前記固定穴１５に前記垂直方向スティックＳ３を嵌め込むことで、設置面Ｇと垂直方向に延びる垂直方向スティックＳ３を簡単かつ迅速に得ることができる。
【００４５】
前記支持部材１０の前記固定穴１５は、図９に示すように、下方ほど若干内径が小さくなるように形成されている。また、前記固定穴１５は、前記垂直方向スティックＳ３の端部が若干摩耗しても当該固定穴１５の底面まで達しないようになっている。
従って、前記垂直方向スティックＳ３を前記固定穴１５に押し込むほど強く安定的に固定できるようになっている。
【００４６】
次に、上記にて説明したスティック型ゴルフ練習機１を構成する各部品を組み付ける方法の一例について説明する。
まず、前記連結具２０の両端部に形成された前記スティック挿入穴２１に、前記長スティックＳ１と長スティックＳ２の一端部をそれぞれ差し込むことで、それらを一体化して第１の水平方向スティックを構成する。
【００４７】
この状態で、前記支持部材１０の前記Ｕ溝部１１に、前記第１の水平方向スティックを構成する連結具２０を嵌め込んで、前記支持部材１０と前記第１の水平方向スティックＳ１，Ｓ２を一体化する。
また、他の前記連結具２０の両端部に形成された前記スティック挿入穴２１に、前記短スティックＳ４と短スティックＳ５の一端部をそれぞれ差し込み、第２の水平方向スティックを構成する。続いて、その連結具２０の中央部に透設されたスティック挿通孔２２に、前記垂直方向スティックＳ３を挿通することで、各スティックＳ３〜Ｓ５及び連結具２０を一体化する。
【００４８】
次に、前記支持部材１０の何れかの前記固定穴１５に、前記垂直方向スティックＳ３の端部を嵌め込むことで、全てのスティックＳ１〜Ｓ５と、支持部材１０と、２個の連結具２０を一体化する。
上記のように、２個の連結具２０を用いることで、簡単にスティック型ゴルフ練習機１の各部品を組み付けることができ、さらに、前記垂直方向スティックＳ３に対する第２の水平方向スティックＳ４，Ｓ５の装着位置を手にて簡単に変更することもできる。
【００４９】
上記のように組み付けられたこの実施形態のスティック型ゴルフ練習機１においては、垂直方向スティックＳ３と短スティックＳ４，Ｓ５が連結具２０にて一体化している。
よって、前記支持部材１０の一端部に前記第１の水平方向スティックＳ１，Ｓ２を保持させ、かつ、前記支持部材１０に前記垂直方向スティックＳ３を保持させ、前記垂直方向スティックＳ３の任意の高さ位置に第２の水平方向スティックＳ４，Ｓ５を装着した前記スティック型ゴルフ練習機１は、図１に示すように、前記第２の水平方向スティックＳ４，Ｓ５を押すことで、前記第１の水平方向スティックＳ１，Ｓ２付近を回動中心として前記支持部材１０の他端部側が持ち上がるように回動可能である。
【００５０】
次に、上記の通り構成したスティック型ゴルフ練習機１の使用方法について、右利きのゴルファーによる練習事例として説明する。
一例として、パッティング練習をする際には、図２に示すような５角形（ホームベース型）の薄い板状のプレート３０を使用するとよい。
このプレート３０は、中央部にボール載置部３１として機能する透孔とその周囲に描かれた円と、打球方向を示す十字状の方向指示線３２を備えている。
前記透孔の周囲に描かれた円は略ゴルフボールと同じ大きさで、ゴルフボールをボール載置部３１に置いた際に、上から見てもゴルフボールに隠れて見えないように構えることで、正しい目の位置を確認することができるようにするためのものである。
【００５１】
図１０に示すように、前記プレート３０上にゴルフボールを置き、スティック型ゴルフ練習機１の第１の水平方向スティックＳ１，Ｓ２をつま先に合わせ、膝の位置に合うように第２の水平方向スティックＳ４，Ｓ５の高さを調節する。
これにより、図１１の上段に示すように、膝が前に動くと、膝が第２の水平方向スティックを構成している短スティックＳ４又は短スティックＳ５に触れるため、スティック型ゴルフ練習機１の抵抗（重さ）を感じることで、パッティング動作の状態を分かりやすく確認することができる。
このスティック型ゴルフ練習機１の抵抗（重さ）は、スティックＳ３〜Ｓ５が中実体であってある程度の重さを有していること、及び、スティックＳ３〜Ｓ５と支持部材１０が一体化しており、その形態を維持するようになっていることが主な要因となっている。
なお、上記実施形態における各スティックＳ１〜Ｓ５を構成するＦＲＰの比重は、約１．８ｇ／ｃｍ３ であり、比重が約１ｇ／ｃｍ３であるＡＢＳ樹脂製のスティックを用いた場合には、スティックの重さを感じ難くなる。
また、図１１の下段に示すように、第２の水平方向スティックＳ４，Ｓ５を膝〜ももの高さに合わせ、第２の水平方向スティックＳ４，Ｓ５が膝〜ももの左側または右側になるように配置し、テイクバックとフォロースルーの動作時において体の軸が左右にズレると（スエーすると）膝〜ももが第２の水平方向スティックＳ４，Ｓ５に触れ、スエーの状態を把握することができる。
【００５２】
次に、スティック型ゴルフ練習機１の使用方法の一例として、アイアンゴルフクラブ又はウッドゴルフクラブのスイング練習（打球練習）をする際には、図１２の上段に示すように、第２の水平方向スティックＳ４，Ｓ５を膝〜ももの高さに合わせ、第２の水平方向スティックＳ４，Ｓ５が膝〜ももの右側になるように配置し、テイクバックの動作時において体の軸が右にズレると膝〜ももが第２の水平方向スティックＳ４，Ｓ５に触れ、スエーの状態を把握することができる。
なお、アイアンゴルフクラブ又はウッドゴルフクラブのスイング時におけるフォロースルーにおいては、スエーさせるような形で、体を左に流すのが一般的である。
また、アイアンゴルフクラブ又はウッドゴルフクラブのベタ足による特別なスイング練習をする際には、図１２の下段に示すように、第２の水平方向スティックＳ４，Ｓ５を膝〜ももの高さに合わせ、第２の水平方向スティックＳ４，Ｓ５が膝〜ももの内側の左側又は右側になるように配置する。そして、テイクバック及びフォロースルーの動作時において左右の足が浮くと、膝〜ももが第２の水平方向スティックＳ４，Ｓ５に触れ、ベタ足になっていない状態を把握することができる。
【００５３】
さらに、スティック型ゴルフ練習機１の使用方法の一例として、アイアンゴルフクラブ又はウッドゴルフクラブのスイング練習（打球練習）をする際には、図１３の上段に示すように、スティック型ゴルフ練習機１を分解し、垂直方向スティックＳ３と長スティックＳ１，Ｓ２又は短スティックＳ４，Ｓ５が連結具２０にて十字形に一体化したものを地上に置いて、スタンス幅におけるゴルフクラブの違いによるボールの左右の正しい置き位置を確認しながら練習をすることができる。
また、図１３の下段に示すように、第１の水平方向スティックＳ１，Ｓ２、垂直方向スティックＳ３、第２の水平方向スティックＳ４，Ｓ５の３本をそれぞれ地上に置いて、スタンスの方向と位置、ゴルフボールを飛ばす目標地点の方向、スイング軌道を確認しながら練習することもできる。
なお、このように２本又は３本のスティックを平行に並べて地面に置いてアラインメントをチェックする使用方法は、パッティング練習の際にも用いることができる。
【００５４】
なお、本実施形態のスティック型ゴルフ練習機１において各スティックＳ１〜Ｓ５を構成する材料としては、強度、耐久性、成形後の歪みが発生しないこと、比重などを考慮して、エポキシ樹脂系のガラス繊維強化樹脂（ＦＲＰ）からなる中実体を用いたが、この材料に限定されるものではなく、他の繊維強化樹脂又は繊維を含まない樹脂を適宜選択して用いて実施してもよい。
また、各スティックＳ１〜Ｓ５として、多角柱状の棒材を用いて実施したり、適宜中空の円筒型パイプや多角形状のパイプを用いて実施してもよい。
【００５５】
本発明のスティック型ゴルフ練習機１を使用する方法については、上記にて説明した使用方法に限定されるものではなく、練習したいスイング方法や、動作の矯正をしたり動作の確認をしたいポイントに応じてスティック型ゴルフ練習機１の配置を適宜変更したり、スティック型ゴルフ練習機１の第２の水平方向スティックＳ４，Ｓ５の向きや高さを適宜変更したり、スティック型ゴルフ練習機１のスティックを分解して地上に適宜配置したりして自在に使用することができる。
さらには、支持部材１０を用いることなく、長スティックＳ１又は短スティックＳ４などを直接地面に刺して垂直方向スティックのように利用して膝又はももの動きをチェックするようにして使用することもできる。
【００５６】
本発明は、上記の実施形態に基づいて説明したスティック型ゴルフ練習機１に限定されるものではなく、例えば、垂直方向スティックＳ３に長さ表示（目盛Ｍ）を付して具体化して実施してもよい。
さらに、前記各スティックＳ１〜Ｓ５の両端部が先端先細りとなるように形成して実施したり、前記各スティックＳ１〜Ｓ５の両端部を先端先細りとしないで実施してもよい。
【００５７】
また、前記スティック挿入穴２１の内面と、前記スティック挿通孔２２の内面に形成した８本のリブ２３を省略して実施したり、リブ２３の本数を３〜１２程度の範囲内で増減して実施してもよい。ただし、リブ２３の本数が４本程度では、前記スティック挿入穴２１又は前記スティック挿通孔２２の内面と、各スティックＳ１〜Ｓ５との間で生じるガタツキが大きくなる。
【００５８】
さらに、本発明は、その趣旨を逸脱しない範囲で、各部の構造、材質、形状、寸法、角度、設置位置、数などが異なるスティック型ゴルフ練習機において具体化して実施してもよい。
【産業上の利用可能性】
【００５９】
本発明は、ボール位置と打球方向に合わせた適正なスタンスについての確認や、ゴルファーのスイング中やパッティング中における膝の左右方向又は前後方向への移動についての確認といった複数の確認事項についても対応することができる汎用性の高いスティック型ゴルフ練習機として産業上好適に利用可能である。
【符号の説明】
【００６０】
１  スティック型ゴルフ練習機
１０  支持部材
１１  Ｕ溝部
１２  突起
１３  カバー部
１４  スティック挿入穴
１５  固定穴
２０  連結具
２１  スティック挿入穴
２２  スティック挿通孔
２３  リブ
３０  プレート
３１  ボール載置部
３２  方向指示線
Ｇ  設置面
Ｍ  目盛（長さ表示）
Ｓ１  長スティック（第１の水平方向スティック（スタンス棒））
Ｓ２  長スティック（第１の水平方向スティック（スタンス棒））
Ｓ３  垂直方向スティック（縦棒）
Ｓ４  短スティック（第２の水平方向スティック（チェック棒））
Ｓ５  短スティック（第２の水平方向スティック（チェック棒））
【図１】
2017029627.tif 000003
【図２】
2017029627.tif 000004
【図３】
2017029627.tif 000005
【図４】
2017029627.tif 000006
【図５】
2017029627.tif 000007
【図６】
2017029627.tif 000008
【図７】
2017029627.tif 000009
【図８】
2017029627.tif 000010
【図９】
2017029627.tif 000011
【図１０】
2017029627.tif 000012
【図１１】
2017029627.tif 000013
【図１２】
2017029627.tif 000014
【図１３】
2017029627.tif 000015